(57)【要約】  【課題】一人の占有時間が長くなる録音役務の受付を利用者の客足に応じて自動的に制限でき、特に客足の多い混雑時に、他の利用者に迷惑を及ぼさず、また、カラオケ店舗側でも顧客の回転率の低下を防止できるカラオケ演奏装置の提供。  【解決手段】ログインＩＤ数を計測するための員数計測手段、録音役務ないし歌唱役務の役務受付手段、受け付けた楽曲ＩＤを予約登録するための予約登録手段、およびこれら手段を統括的に制御する統括制御手段を付帯させ、役務の受け付け時、利用者のログインＩＤ計測数が所定数を超えた場合、録音役務の受け付けを拒否する旨のメッセージを表示させると共に、予約登録を禁止するように制御した。【選択図】図１
2005283802.tif 000002
【特許請求の範囲】
【請求項１】
多数のカラオケ楽曲の演奏データを保持し、利用者による楽曲ＩＤの予約登録に従って演奏を行うカラオケ演奏装置において、
（ア）利用者のログインＩＤを取得し、その員数を計測するための員数計測手段と、
（イ）利用者による歌唱音声の録音を目的とした録音役務または利用者の歌唱のみを目的とした歌唱役務のそれぞれの種別と共に、指定された楽曲ＩＤを利用者インタフェイスを介して受け付けるための役務受付手段と、
（ウ）前記受け付けた楽曲ＩＤを、前記録音役務または歌唱役務と対応付けして演奏予約の待ち行列に登録するための予約登録手段と、
（エ）前記（ア）から（ウ）の各手段を統括して制御するための統括制御手段とを備え、
前記統括制御手段は、前記ログインＩＤ計測数が所定数を超えた場合、前記役務の受け付け時に、録音役務の受け付けを拒否する旨のメッセージを表示させると共に、予約登録を禁止するように制御することを特徴とするカラオケ演奏装置。
【発明の詳細な説明】
【技術分野】
【０００１】
本発明は、多数のカラオケ楽曲の演奏データを保持し、利用者による楽曲ＩＤの予約登録に従って演奏を行うカラオケ演奏装置に関し、さらに詳しくは、利用者による歌唱音声の録音を目的とした録音役務の制限機能を有するカラオケ演奏装置に関する。
【背景技術】
【０００２】
最近、カラオケボックスなどのカラオケ店舗では、利用者の歌唱のみを目的とした歌唱役務の提供の他、カラオケ伴奏音楽とその音楽に合わせて歌唱するマイク入力音声とを混合し、利用者による歌唱音声の録音を目的とした録音役務を提供しているところがある。このような録音役務とは、例えば、ＤＶＤやＣＤに録音データを焼き込んで、自作のＤＶＤやＣＤを作成したり、あるいは、歌唱力検定やオーディションなどメディアユーザが主催する募集サイトへの応募、具体的には、メディアユーザが管理する情報サーバへの録音ファイルのアップロードなどに利用させるためのサービスシステムである。そして、このようなサービスシステムに関する技術も多数開発されてきた。
【０００３】
例えば、特許文献１では、アルバム毎に割り当てた適宜な可搬型記録媒体に録音する楽曲を自在に選択できるカラオケ録音装置が開示されている。このカラオケ録音装置は、カラオケ伴奏音楽と歌唱音声とを、楽曲単位で所定の録音ファイルに作成し、ハードディスク装置に一旦記憶させ、最も上手く唄えた録音ファイルをＣＤ−Ｒに転記するように構成されている。また、特許文献２では、録音ファイルをＣＤ−Ｒなどに転記する代わりに、メディアユーザが管理する情報サーバに送信して当該ユーザに受託させ、利用者は、当該ユーザに寄託した録音ファイルを専門の審査員に添削してもらえるようにしたカラオケ通信教習方法が開示されている。
【特許文献１】特開２００２−２８７７７７号公報
【特許文献２】特開２００３−１５６７３号公報
【発明の開示】
【発明が解決しようとする課題】
【０００４】
カラオケ演奏装置の利用者は、勿論、できるだけ上手く唄えた時の歌唱音声を録音したいと思っており、最終的に納得の行く歌唱ができた時の録音ファイルを正式に録音データとして選択したいと思うものである。しかしながら、利用者は同じ楽曲を上手く唄い納得が行くまで、規定回数の範囲内で、何度も録音ファイルの作成と試聴を繰り返すことになる。すなわち、従来では、利用者が録音役務を受ける場合、一度録音した録音ファイルを音響再生し、これを聴いてみて気に入れなければまた録音して聴き、再度気に入れなければまた録音して聴く。このような繰り返しを行い、最終的に気に入った録音ファイルを採用していたことから利用時間が長くなってしまい、特に客足の多い混雑時に、歌唱を待っている他の利用者にとっては大迷惑となる不都合が生じ、カラオケ店舗側でも顧客の回転率が低下し収益が悪化するという事態になった。
【０００５】
そこで、本発明は、上記問題や不都合を解消するために想到されたもので、すなわち、一人の占有時間が長くなる録音役務の受付を利用者の客足に応じて自動的に制限でき、特に客足の多い混雑時に、他の利用者に迷惑を及ぼさず、また、カラオケ店舗側でも顧客の回転率の低下を防止できるカラオケ演奏装置の提供を課題とする。
【課題を解決するための手段】
【０００６】
上記課題を鑑み、本発明者らは、ログインＩＤ数を計測するための員数計測手段、録音役務ないし歌唱役務の役務受付手段、受け付けた楽曲ＩＤを予約登録するための予約登録手段およびこれら手段を統括的に制御する統括制御手段を付帯させ、役務の受け付け時、利用者のログインＩＤ計測数が所定数を超えた場合、録音役務の受け付けを拒否する旨のメッセージを表示させると共に、予約登録を禁止するように制御することで、上記課題を解決できることを見出し、本発明のカラオケ演奏装置を想到した。
【０００７】
すなわち、本発明の請求項１記載のカラオケ演奏装置は、多数のカラオケ楽曲の演奏データを保持し、利用者による楽曲ＩＤの予約登録に従って演奏を行うカラオケ演奏装置において、
（ア）利用者のログインＩＤを取得し、その員数を計測するための員数計測手段と、
（イ）利用者による歌唱音声の録音を目的とした録音役務または利用者の歌唱のみを目的とした歌唱役務のそれぞれの種別と共に、指定された楽曲ＩＤを利用者インタフェイスを介して受け付けるための役務受付手段と、
（ウ）前記受け付けた楽曲ＩＤを、前記録音役務または歌唱役務と対応付けして演奏予約の待ち行列に登録するための予約登録手段と、
（エ）前記（ア）から（ウ）の各手段を統括して制御するための統括制御手段とを備え、
前記統括制御手段は、前記ログインＩＤ計測数が所定数を超えた場合、前記役務の受け付け時に、録音役務の受け付けを拒否する旨のメッセージを表示させると共に、予約登録を禁止するように制御することを特徴とする。
【発明の効果】
【０００８】
本発明の請求項１記載のカラオケ演奏装置によれば、混雑時の客足すなわち混雑時のログインＩＤ数を予め設定し、ログインＩＤの員数が所定数を超えた場合、録音役務の受け付けを拒否する旨のメッセージを表示させると共に当該受け付けを自動的に禁止して録音役務を制限することで、録音役務の利用者に理解を得ながら、客足の多い混雑時に歌唱を待っている他の利用者に迷惑を及ぼさず、また、カラオケ店舗側でも顧客の回転率が低下しないなどといった効果を奏する。
【発明を実施するための最良の形態】
【０００９】
以下、本発明の録音役務制限機能を有するカラオケ演奏装置について最適な実施例を挙げ、請求項１記載の（ア）から（エ）の構成について詳述する。
【実施例１】
【００１０】
図１は本発明のカラオケ演奏装置のブロック構成図である。本実施例のカラオケ演奏装置（１）は、利用者の歌唱力をメディアユーザの審査員がオーディション審査するため、マイク入力音声のデジタル録音機能、歌唱力の自動採点機能、情報サーバへの録音ファイルのアップロード機能などを有する。この演奏装置（１）は、ＲＡＭ（１２）、音源（シンセサイザ：６）、ミキサ（エフェクタ：７）、ボーカルアダプタ（１４）、ＭＰＥＧデコーダ（１５）、合成回路（１６）、ＩＤカード読み取り／書き込み装置（Ｒ／Ｗ：２）などが接続され、装置全体の動作を制御する統括制御手段（１０）やカラオケ楽曲を演奏するための演奏データ（２４）や、ディスプレイ装置（４）に背景映像を表示するための映像データ（２５）などが記録されているハードディスク（ＨＤＤ：１１）などの記録手段から主に構成されている。
【００１１】
ここで、各構成要素について詳述する。先ず、各利用者は、予めＩＤカード読み取り／書き込み装置（２）をもって自らのログインＩＤを入力する。以降、利用者はこの操作により形成された自らのＩＤアイコンを指定した後の指示については、当該指示が誰から発せられたものなのかを統括制御手段（１０）が識別することができる。さらに、員数計測手段（２０）は、この入力により取得したログインＩＤの員数を計測し、ＲＡＭの所定部（図示省略）にログインＩＤ測定数として記憶する。役務受付手段（２３）は、利用者による歌唱音声の録音を目的とした録音役務または利用者の歌唱のみを目的とした歌唱役務のそれぞれの種別と共に、指定された楽曲ＩＤを、リモコン装置（３）などが付帯した利用者インタフェイスを介して受け付ける。この役務受付手段（２３）は、本実施例では、楽曲ＩＤのみを単に指定する場合を歌唱役務の指定と見なしており、録音役務の指定する場合は、例えば、リモコン装置（３）の利用者インタフェイスから歌唱録音機能の起動を指定した後、続けて楽曲ＩＤを指定することで録音役務の指定と見なしている。
【００１２】
次に、受け付けた楽曲ＩＤは、予約登録手段（１９）により、録音役務または歌唱役務と対応付けして演奏予約の待ち行列に登録される。予約登録されたカラオケ楽曲は順次演奏されるが、演奏は以下のような仕組みで行われる。音源（６）が統括制御手段（１０）が実行するシーケンサ（２２）の処理によって入力された楽曲ＩＤに対応した演奏データに応じて楽音信号を形成し、形成された楽音信号はミキサ（７）に入力され、このミキサ（７）は音源（６）が発生した楽音信号とＡ／Ｄコンバータ（１３）を介して入力されたマイク（５）からの利用者の歌唱音声信号を適当なバランスでミキシングし、ミキシングされたデジタル音声信号はサウンドシステム（ＳＳ：８）に入力され、このサウンドシステム（８）はＤ／Ａコンバータおよびパワーアンプを備えており、入力されたデジタル信号をアナログ信号に変換して増幅し、スピーカ（９）からカラオケ伴奏音楽と歌唱音声を放音する。
【００１３】
また、本実施例では歌唱力の自動採点も行われる。これは歌唱力自動採点手段（１８）をもって行われ、歌唱周波数の採点情報を基本とし、様々な歌唱要素を評価する所定のアルゴリズムにて最終得点を算出する。例えば、採点は利用者の歌唱音声をリファレンスと比較することによって行われ、楽曲の終了時にその点数を表示する。具体的には、Ａ／Ｄコンバータ（１３）によってデジタル信号に変換された歌唱音声信号をボーカルアダプタ（１４）にも入力し、このボーカルアダプタ（１４）は入力された歌唱音声信号から歌唱周波数を採取すると共に、統括制御手段（１０）のシーケンサ（２２）から入力されたリファレンスの周波数を採取する。そして、この歌唱周波数とリファレンス周波数を同期させ、所定時間毎に区切って統括制御手段（１０）に入力し、歌唱力自動採点手段（１８）による自動採点処理を行うものである。
【００１４】
ハードディスク（１１）には、演奏データの他、映像データ（２５）がＭＰＥＧ２形式にエンコードされており、統括制御手段（１０）が実行する背景映像再生手段（図示省略）により再生処理を行い、これを読み出してＭＰＥＧデコーダ（１５）に入力する。このＭＰＥＧデコーダ（１５）は、入力されたＭＰＥＧデータをＮＴＳＣの映像信号に変換して合成回路（１６）に入力し、この合成回路（１６）はこの背景映像の映像信号上に歌詞テロップや採点表示などのＯＳＤを合成し、合成された映像信号はディスプレイ装置（４）に表示される。さらに、このハードディスク（１１）には、統括制御手段（１０）が、ログインＩＤ計測数が所定数を超えた場合、役務の受け付け時に、録音役務の受け付けを拒否する旨のメッセージ表記の内容や、予約登録禁止の判断基準となる所定数などを記録した受付制限関連データの記録部（２６）が設けられている。
【００１５】
統括制御手段（１０）は、これら受付制限関連データに基づき、図２に示すように、ディスプレイ装置表示画面（Ｄ）には、ログインＩＤに紐付けされた利用者の氏名や、その利用者が所望したカラオケ楽曲のタイトル名を含め、現在、歌唱録音ができない旨の受け付け拒否のメッセージ（ｄ１）を表示するように制御したり、さらに、ＲＡＭに記憶されたログインＩＤ測定数と所定数とを比較して予約登録禁止を判断し、予約登録手段（１９）に対して、予約登録を禁止するように制御する。
【００１６】
リモコン装置（３）は利用者インタフェイスを備え、利用者が役務を指定するための操作に応じた操作信号を統括制御手段（１０）に出力する。統括制御手段（１０）は、役務受付手段（２３）によって、この操作信号を検出して対応する処理を行う。例えば、リモコン装置（３）にて楽曲ＩＤが入力されると、役務受付手段（２３）がこれを検出し、カラオケ楽曲のリクエストであるとしてシーケンサ（２２）に伝達する。このシーケンサ（２２）は、主に楽曲シーケンサ、歌詞シーケンサおよび文字パターン作成手段からなり、楽曲ＩＤで識別される演奏データをハードディスク（１１）の演奏データ（２４）から読み出す。
【００１７】
録音役務が指定された場合、録音入力インタフェイス（１７）は、ミキサ（７）から受け取った演奏データに応じた楽音信号とマイク（５）から入力された歌唱音声との混合信号を入力し、この混合信号をサンプリングしてＰＣＭデータへの変換処理を行う。このＰＣＭデータは録音ファイルとされ、楽曲ＩＤ（２８）と歌唱力自動採点手段（１８）にて自動採点された採点情報（２９）と共に、予めＩＤカード読み取り／書き込み装置（２）より読み取ったログインＩＤ（２７）に紐付けされて、録音ファイル記録手段であるＲＡＭ（１２）の録音ファイル記録エリア（３０）に記録される。そして、利用者の審査エントリー指示により、利用者のログインＩＤ（２７）を紐付けした、楽曲ＩＤ（２８）、歌唱音声の録音ファイル（３０）および採点情報（２９）をエントリー情報とし、このエントリー情報はネットワーク通信回線を介して情報サーバへ送られ、当該情報サーバはこれを審査対象情報として管理される。
【００１８】
次に、図３に示す本発明のカラオケ演奏装置におけるシステムフロー図に基づき、請求項１記載の（エ）の構成について、さらに詳述する。
【００１９】
本発明のカラオケ演奏装置を利用する際、利用者は、先ず、ＩＤカードの認証によりログインを行う（Ｓ１）。各利用者がログインする度に、員数計測手段は、各利用者のログインＩＤを取得し（Ｓ２）、そのログインＩＤ数の計測を行う（Ｓ３）。ログインを行った利用者は、リモコン装置の利用者インタフェイスから所望するカラオケ楽曲を指定する（Ｓ４）。本実施例では、上述の如く、役務受付手段は、楽曲ＩＤのみを単に指定する場合を歌唱役務の指定と見なし、録音役務の指定する場合は、歌唱録音機能の起動を指定した後、続けて楽曲ＩＤを指定することで録音役務の指定と見なしている。カラオケ楽曲が指定されると、役務受付手段は役務種別および楽曲ＩＤの受け付けをする（Ｓ５）。
【００２０】
この時、統括制御手段は、その役務種別が録音役務であるか否かを判断し（Ｓ６）、録音役務でなければ、予約登録手段に受け付け楽曲ＩＤを演奏待ち行列に予約登録するように指令し（Ｓ８）、予約登録されたカラオケ楽曲は順次演奏される（Ｓ９）。一方、録音役務である場合は、次に、ログインＩＤ計測数が所定数を超えているか否かを判断し（Ｓ７）、所定数を超えていなければ、上記同様、予約登録手段に受け付け楽曲ＩＤを演奏待ち行列に予約登録するように指令し（Ｓ８）、予約登録されたカラオケ楽曲は順次演奏される（Ｓ９）。反面、所定数を超えている場合は、受け付け拒否のメッセージが表示され（Ｓ１０）、さらに、予約登録を禁止するように予約登録手段を制御し（Ｓ１１）、録音役務は自動的に制限される。このようにして、利用者は本発明のカラオケ演奏装置から役務の提供を受け、そのシステムはログオフの確認（Ｓ１２）をもって終了され、新たな利用者のログインによりシステムは再始動する。
【００２１】
以上、詳述したように、本発明のカラオケ演奏装置によれば、録音役務ないし歌唱役務の受け付け時、利用者のログインＩＤ計測数が所定数を超えた場合に、録音役務の受け付けを拒否する旨のメッセージを表示させると共に、予約登録を禁止するように制御することで、一人の占有時間が長くなる録音役務の受付を利用者の客足に応じて自動的に制限でき、特に客足の多い混雑時に、他の利用者に迷惑を及ぼさず、また、カラオケ店舗側でも顧客の回転率の低下を防止できる。
【図面の簡単な説明】
【００２２】
【図１】本発明のカラオケ演奏装置のブロック構成図。
【図２】本発明のカラオケ演奏装置におけるディスプレイ装置表示画面。
【図３】本発明のカラオケ演奏装置におけるシステムフロー図。
【符号の説明】
【００２３】
１  カラオケ演奏装置
１０  統括制御手段
１１  ハードディスク
１２  ＲＡＭ
１７  録音入力インタフェイス
１８  歌唱力自動採点手段
１９  予約登録手段
２０  員数計測手段
２３  役務受付手段
２６  受付制限関連データ
２７  ログインＩＤ
２８  楽曲ＩＤ
３０  録音ファイル
【図１】
2005283802.tif 000003
【図２】
2005283802.tif 000004
【図３】
2005283802.tif 000005